(57)【要約】【課題】主に、車両用照明装置に操作用部品を見栄え良く設置できるようにする。【解決手段】不透光性のケース３と、ケース３の表面を覆う透光性のカバー部材４との内側に、光源５から入射した光６をカバー部材４側へ反射可能な反射部７，８を有する導光板１１，１２を収容設置した車両用照明装置１に関する。  カバー部材４と導光板１１，１２とに対し、互いに連通可能な貫通穴２１〜２３を設ける。  ケース３に、少なくとも導光板１１，１２の貫通穴２２，２３へ挿入可能な不透光性の筒状部３１を設ける。  筒状部２５に操作用部品２を挿入配置する。【選択図】図３
2019001238.tif 000002
【特許請求の範囲】
【請求項１】
不透光性のケースと、該ケースの表面を覆う透光性のカバー部材との内側に、光源から入射した光を前記カバー部材側へ反射可能な反射部を有する導光板を収容設置した車両用照明装置において、
前記カバー部材と前記導光板とに対し、互いに連通可能な貫通穴を設け、
前記ケースに、少なくとも前記導光板の前記貫通穴へ挿入可能な不透光性の筒状部を設け、
該筒状部に操作用部品を挿入配置したことを特徴とする車両用照明装置。
【請求項２】
請求項１に記載の車両用照明装置であって、
前記カバー部材の前記貫通穴に、前記筒状部の内側へ挿入可能な透光性の筒状部を設け、
該透光性の筒状部に対して前記操作用部品を挿入配置したことを特徴とする車両用照明装置。
【請求項３】
請求項２に記載の車両用照明装置であって、
前記操作用部品を、前記透光性の筒状部に対して固定したことを特徴とする車両用照明装置。
【請求項４】
請求項１ないし請求項３のいずれか１項に記載の車両用照明装置であって、
前記導光板を、複数枚設置したことを特徴とする車両用照明装置。
【発明の詳細な説明】
【技術分野】
【０００１】
この発明は、車両用照明装置に関するものである。
【背景技術】
【０００２】
自動車などの車両は、車室内に各種の照明装置（車両用照明装置）を備えている（例えば、特許文献１参照）。このような照明装置には、スイッチなどの操作用部品を備えたものが存在している。
【先行技術文献】
【特許文献】
【０００３】
【特許文献１】特開２００４−９０８９７号公報
【発明の概要】
【発明が解決しようとする課題】
【０００４】
しかしながら、上記車両用照明装置では、操作用部品は側面の意匠性を考慮した設計になっていないため、照明光が操作用部品の側面を照らすことで、操作用部品の側面が外部から見えてしまうと、見栄えが悪くなるなどの問題があった。
【０００５】
そこで、本発明は、主に、上記した問題点を解決することを目的としている。
【課題を解決するための手段】
【０００６】
上記課題を解決するために、本発明は、
不透光性のケースと、該ケースの表面を覆う透光性のカバー部材との内側に、光源から入射した光を前記カバー部材側へ反射可能な反射部を有する導光板を収容設置した車両用照明装置において、
前記カバー部材と前記導光板とに対し、互いに連通可能な貫通穴を設け、
前記ケースに、少なくとも前記導光板の前記貫通穴へ挿入可能な不透光性の筒状部を設け、
該筒状部に操作用部品を挿入配置したことを特徴とする。
このため、車両用照明装置は、操作用部品の側面が筒状部で覆われることになる。
【発明の効果】
【０００７】
本発明によれば、上記構成によって、車両用照明装置に操作用部品を見栄え良く設置することなどができる。
【図面の簡単な説明】
【０００８】
【図１】本実施の形態にかかる車両用照明装置の斜視図である。
【図２】図１の車両用照明装置に対し操作用部品を取出（して拡大）した状態を示す概略斜視図である。
【図３】図２の車両用照明装置のＡ−Ａ線に沿った縦断面図である。
【図４】図３と同様の車両用照明装置の分解図である。
【図５】図４の車両用照明装置の作動図である。
【発明を実施するための形態】
【０００９】
以下、本実施の形態を、図面を用いて詳細に説明する。
図１〜図５は、この実施の形態を説明するためのものである。
【実施例１】
【００１０】
＜構成＞以下、この実施例の構成について説明する。
【００１１】
自動車などの車両の車室内に、例えば、図１に示すような照明装置（車両用照明装置１）を設置する。この車両用照明装置１に、スイッチなどの操作用部品２を設ける。この車両用照明装置１を、図２に示すように、不透光性のケース３と、ケース３の表面を覆う透光性のカバー部材４とを備えたものとする。
そして、ケース３とカバー部材４とで構成する容器の内側に、図３に示すように、光源５から入射した光６（図５参照）をカバー部材４側へ向けて反射可能な反射部７，８を有する導光板１１，１２を収容設置する。
【００１２】
ここで、車両用照明装置１は、例えば、センターコンソール１３（図１参照）やインストルメントパネルなどに取付けることができる。操作用部品２は、図では縦長の筒状のものとなっているが、これに限るものではない。この場合、操作用部品２は、上端部に押ボタンスイッチや回転式スイッチなどを有している。操作用部品２は、車両用照明装置１の内外に、単数または複数設けることができる。
【００１３】
ケース３は、例えば、ＡＢＳなどの樹脂製とすることができる。ケース３は、不透光性を有していれば何色としても良い。例えば、ケース３は、内部における光６の反射率を上げるために白色などとしても良い。または、ケース３は、内部における光６の反射率を下げるために黒色や暗色などとしても良い。
【００１４】
図３では、ケース３は、平坦な底面部３ａと、この底面部３ａの周縁部から図中上方へ延びる側面部３ｂとを有する浅皿状の容器としている。ケース３の平面形状は、矩形状でも円形状でもその他の形状でも何でも良いが、この場合には、矩形状としている。底面部３ａと側面部３ｂとは、基本的に均一肉厚にしている。
【００１５】
カバー部材４は、例えば、アクリルなどの樹脂製とすることができる。カバー部材４は、無色透明や有色透明のものなどとすることができる。カバー部材４は、平坦な意匠面部４ａ（上面部）と、この意匠面部４ａの周縁部から図中下方へ延びる側面部４ｂとを有する蓋部としている。カバー部材４の平面形状は、ケース３の平面形状と同じにする。意匠面部４ａと側面部４ｂとは、基本的に均一肉厚にしている。
【００１６】
カバー部材４の意匠面部４ａには、スモークフィルム４ｃやハーフミラーフィルム４ｄなどのフィルムを貼着することができる。この場合、意匠面部４ａの上面に対して、意匠面部４ａを暗色に着色するためのスモークフィルム４ｃを貼着している。また、意匠面部４ａの下面に光の反射を利用するためのハーフミラーフィルム４ｄを貼着している。但し、スモークフィルム４ｃやハーフミラーフィルム４ｄは、必ずしも必要なものではない。
【００１７】
カバー部材４の側面部４ｂは、その内面がケース３の側面部３ｂに外嵌可能な大きさおよび形状を有している。
【００１８】
そして、ケース３の側面部３ｂとカバー部材４の側面部４ｂとの間に、嵌合によって固定するための固定部１５を設ける。この固定部１５を側面部３ｂと側面部４ｂとの一方に設けた爪孔１５ａと、他方に設けた爪部１５ｂとを有する爪固定部にする。爪孔１５ａと爪部１５ｂは同じ位置に、同じ数だけ設けるようにする。
【００１９】
光源５には、ＬＥＤなどを用いることができる。光源５は、例えば、透明な樹脂製の棒状体の端部にＬＥＤを配設した発光棒５ａなどとすることができる。この発光棒５ａは、例えば、ケース３の内部に、ケース３の辺に沿って設置することができる。図２、図３では、光源５をケース３の対向する二辺に設置しているが、図４、図５のように光源５はケース３の一辺にのみ設置するようにしても良い。
【００２０】
導光板１１，１２は、光源５からの光６を内部へ導くようにした透明部材である。導光板１１，１２は、例えば、アクリルなどの樹脂製とすることができる。導光板１１，１２は、光源５と対向する端部が入光部になる。導光板１１，１２は、ケース３の底面部３ａと平行に設置されている。
【００２１】
反射部７，８は、導光板１１，１２の内部に導かれた光源５からの光６を導光板１１，１２からカバー部材４（の意匠面部４ａ）を通して外部へ出光するためのものであり、反射部７，８を設けた位置が出光部となる。
【００２２】
反射部７，８は、光拡散部７ａ，８ａとしても良い。ここで、光拡散部７ａ，８ａは、光を拡散するためのものである。光拡散部７ａ，８ａは、光を拡散状態で反射できるようにするために、例えば、細かい凹凸部などとすることができる。凹凸部は、規則的なパターンのものや、不規則なパターンのものなどとすることができる。光拡散部７ａ，８ａは、全体的に均一に設けても良いし、または、不均一に設けても良い。光拡散部７ａ，８ａは、例えば、サンドブラストやショットブラストなどの表面加工によって作ることができる。
【００２３】
以上のような基本的な構成に対し、この実施例では、以下のような構成を備えるようにしている。
【００２４】
（１）カバー部材４と導光板１１，１２とに対し、互いに連通可能な貫通穴２１〜２３を設ける。
そして、ケース３に、少なくとも導光板１１，１２の貫通穴２２，２３へ挿入可能な不透光性の筒状部２５を設ける。
この筒状部２５に操作用部品２を挿入配置する。
【００２５】
ここで、貫通穴２１〜２３は、それぞれ大きさが異なっていても良いが、少なくとも、操作用部品２が通る大きさにする。この場合、カバー部材４の貫通穴２１は、ケース３の筒状部２５が通らない大きさにしている。但し、貫通穴２１は、筒状部２５が通る大きさにしても良い。
【００２６】
筒状部２５は、ケース３に一体に形成する。そして、筒状部２５の上端部は、カバー部材４（の意匠面部４ａの下面）に当接する長さにしている。また、操作用部品２に応じて、筒状部２５は、ケース３の下側へ延びる延長部２５ａを有しても良い。筒状部２５に対し、操作用部品２は、カバー部材４の側から挿入配置するようにしても良い。
【００２７】
操作用部品２は、上端部にカバー部材４の貫通穴２１を覆った状態でカバー部材４（の意匠面部４ａの上面）に係止可能なフランジ部２ａを有しても良い。
【００２８】
（２）カバー部材４の貫通穴２１に、筒状部２５の内側へ挿入可能な透光性の筒状部３１を設けても良い。
そして、透光性の筒状部３１に対して操作用部品２を挿入配置するようにしても良い。
【００２９】
ここで、透光性の筒状部３１は、カバー部材４に一体に形成する。筒状部３１は、内周面が操作用部品２の外周面とほぼ等しく、外周面が筒状部２５の内周面とほぼ等しい大きさにする。但し、操作用部品２や筒状部２５との間には、若干のクリアランスを有しても良い。筒状部３１は、筒状部２５とほぼ同じ長さかそれよりも長くする。
【００３０】
そして、筒状部２５と筒状部３１との間に、嵌合によって固定可能な固定部３５を設ける。この固定部３５を筒状部２５と筒状部３１との一方に設けた爪掛り部３５ａと、他方に設けた爪部３５ｂとで構成する。この場合、爪掛り部３５ａを爪孔として筒状部３１に設けている。そして、爪部３５ｂを筒状部２５（の延長部２５ａ）に設けている。爪掛り部３５ａと爪部３５ｂは同じ位置に、同じ数だけ設けるようにする。
【００３１】
（３）操作用部品２を、透光性の筒状部３１に対して固定しても良い。
【００３２】
ここで、操作用部品２と筒状部３１との固定部分を嵌合によって固定可能な嵌合固定部４１とする。この嵌合固定部４１を操作用部品２と筒状部３１との一方に設けた爪掛り部４１ａと、他方に設けた爪部４１ｂとで構成する。この場合、爪掛り部４１ａは、筒状部３１の下端部としているが、爪孔などとしても良い。
【００３３】
（４）導光板１１，１２を、複数枚設置しても良い。
【００３４】
ここで、導光板１１，１２は、２枚設けているが、３枚以上設けるようにしても良い。複数枚の導光板１１，１２は、それぞれ同様の構成を有することができる。
【００３５】
光源５については、導光板１１と導光板１２とで別々にすること（個別光源）や、共用すること（共用光源）ができる。
【００３６】
この際、上側の導光板１２の反射部８は、下側の導光板１１の反射部７よりも、光源５に近い位置に設けるのが照明の遠近感や立体感を高める上で好ましい。また、上側の導光板１２の反射部８は、下側の導光板１１の反射部７よりも、反射率を大きくするのが照明の遠近感や立体感を高める上で好ましい。そして、各反射部７，８は、光源５から離れる程反射率が小さくなるようにするのが照明の遠近感や立体感を高める上で好ましい。更に、上側の導光板１２の反射部８は、導光板１２の上面側に設けるのが立体感を高める上で好ましい。また、下側の導光板１１の反射部７は、導光板１１の下面側に設けるのが照明の立体感を高める上で好ましい。
【００３７】
上側の導光板１２の貫通穴２３と下側の導光板１１の貫通穴２２は、操作用部品２の側面とほぼ等しい大きさとしても良いし、操作用部品２の側面よりも大きなものとしても良い。貫通穴２２，２３は、操作用部品２が通れば、それぞれ同じ大きさとしても良いし、または異なる大きさとしても良い。貫通穴２２，２３の端面は、遮光部としても良い。遮光部は、貫通穴２２，２３の端面に不透光性を有する黒色などの印刷部や塗装部などを設けることで得ることができる。但し、最も下側の貫通穴２２については、遮光部としても出光部としても良い。なお、貫通穴２２，２３の端面を出光部としていても、貫通穴２２，２３の端面を筒状部２５に当接することで遮光部になる。
【００３８】
また、図４に示すように、各導光板１１，１２の上面側には、調光を行うための調光層４２，４３（調光フィルム）を設けても良い。調光層４２，４３は、光源５から離れるに従い光透過度が徐々に小さくなる光透過部４２ａ，４３ａ（グラデーション部）を有するものとすることができる。
【００３９】
光透過部４２ａ，４３ａのグラデーションは、それぞれ同じものにしても良いが、異なるものにしても良い。
【００４０】
光透過部４２ａ，４３ａのグラデーションを異なるものにする場合、下側の導光板１１の反射部７が光源５から遠くに位置し、上側の導光板１２の反射部８が光源５から近くに位置していれば、光源５から遠い反射部７に対する光透過部７ａを、光源５から近い反射部８に対する光透過部８ａよりも、全体としての光透過度が小さくなるようにするのが好ましい。
【００４１】
光透過部４２ａ，４３ａは、それぞれ反射部７，８の位置にのみ設けるようにしても良い。反射部７，８以外の部分については、透明部４２ｂ，４３ｂ（全透過部）などを設けることができる。また、調光層４２，４３における、光源５からの光６が直接カバー部材４を透過して見えないようにしたい部分（例えば、光源５の近傍や、光源５から最も離れた位置など）については、不透光部４２ｃ，４３ｃを設けることができる。
【００４２】
＜作用＞以下、この実施例の作用について説明する。
【００４３】
車両用照明装置１は、ケース３に光源５と導光板１１，１２とを収容して、カバー部材４を取付け、（カバー部材４の側から）筒状部２５に操作用部品２を挿入することで組み立てられる。この際、ケース３とカバー部材４との間は固定部１５によって、筒状部２５と筒状部３１との間は固定部３５によって、筒状部３１と操作用部品２との間は嵌合固定部４１によって、それぞれ爪嵌合で簡単に固定される。
【００４４】
照明を行わない時は、車両用照明装置１は、スモークフィルム４ｃによって暗色のものとなる。操作用部品２は、暗色のカバー部材４から突出したものとなる。
【００４５】
そして、図５に示すように、光源５を点灯すると、光源５からの光６は導光板１１，１２の内部へ導かれ、導光板１１，１２内で反射部７，８によってカバー部材４側へ反射されて、カバー部材４から出光される。これにより、カバー部材４を反射部７，８に応じて光らせることができる。そのため、操作用部品２は、照明によってカバー部材４が多彩に装飾されたものとなる。
【００４６】
＜効果＞この実施例によれば、以下のような効果を得ることができる。
【００４７】
（効果１）ケース３に設けた不透光性の筒状部２５に対して、（カバー部材４の側から）操作用部品２を設置するようにした。これによって、車両用照明装置１に操作用部品２を設置すると共に、設置した操作用部品２の側面を不透光性の筒状部２５で覆い隠すことができる。操作用部品２の側面は、通常、意匠性を考慮した設計になっていないため、不透光性の筒状部２５の中に入れることで、照明時に操作用部品２の側面が外部から見えなくなり、見栄えの悪化を防止することができる。
【００４８】
この際、導光板１１，１２に設けた貫通穴２２，２３に不透光性の筒状部２５を通すことで、不透光性の筒状部２５を支障なく設置することができる。また、導光板１１，１２の貫通穴２２，２３を不透光性の筒状部２５の外周と同じ大きさにして不透光性の筒状部２５の外周を当接することで、不透光性の筒状部２５によって導光板１１，１２の貫通穴２２，２３からの光漏れを防止することができる。
【００４９】
（効果２）ケース３に不透光性の筒状部２５を設けて、不透光性の筒状部２５の内側に、カバー部材４の貫通穴２１に設けた透光性の筒状部３１を挿入するようにしても良い。これにより、透光性の筒状部３１によって、操作用部品２の位置で不透光性の筒状部２５を支持固定できるようになる。また、不透光性の筒状部２５を透光性の筒状部３１に固定することで、不透光性の筒状部２５の端部（上端部）とカバー部材４との間に隙間が発生するのを防止することが可能になる。
【００５０】
また、操作用部品２をカバー部材４の側から挿入する際に、透光性の筒状部３１によって操作用部品２を案内することができる。
【００５１】
更に、透光性の筒状部３１の内側に操作用部品２を設置した状態で、透光性の筒状部３１を別の照明などに利用することも可能になる。その場合、透光性の筒状部３１の下端部に別の光源を設置すれば良いので、構造的にも簡単に別の照明を得ることができる。
【００５２】
（効果３）操作用部品２を透光性の筒状部３１に対して固定しても良い。これにより、操作用部品２を透光性の筒状部３１へ挿入するだけで、操作用部品２を透光性の筒状部３１に固定することが可能となり、操作用部品２の固定を容易化することができる。
【００５３】
（効果４）導光板１１，１２を複数枚設置しても良い。これにより、複数枚の導光板１１，１２を使用して立体感や奥行感のある照明を作り出すことができる。例えば、複数枚の導光板１１，１２に、上側のものほど光源５から近くなるように位置をズラして反射部７，８を設けることで、階段状の照明を得ることができる。
【００５４】
また、導光板１１，１２の各反射部７，８を、光源５から離れるほど反射率が小さくなるようにしたり、調光層４２，４３の各光透過部４２ａ，４３ａを、光源５から離れるに従い光透過度が徐々に小さくなるようにしたりすることで、明度が高いと近くに見え、明度が低いと遠くに見えるという消失遠近法による視覚効果を利用して、上記した奥行感などを強調することができる。
【符号の説明】
【００５５】
１      車両用照明装置
２      操作用部品
３      ケース
４      カバー部材
５      光源
６      光
７      反射部
８      反射部
１１    導光板
１２    導光板
２１    貫通穴
２２    貫通穴
２３    貫通穴
２５    不透光性の筒状部
３１    透光性の筒状部
【図１】
2019001238.tif 000003
【図２】
2019001238.tif 000004
【図３】
2019001238.tif 000005
【図４】
2019001238.tif 000006
【図５】
2019001238.tif 000007